(57)【要約】      （修正有）【課題】第一及び第二コンパートメントを含むハウジングに収容された携帯用電力供給装置が提供される。【解決手段】電力供給装置は、第二コンパートメント内に配置された電力供給組立部品と、第二コンパートメントにより保持される電子機器に電力を供給するために、第一コンパートメント内において受け入れた再充電可能なバッテリーと、電力供給組立部品の電力残量を表示するために、第二コンパートメントの上面上に配置された電力指示器と、電力供給組立部品内の充電器に電気的に相互に接続するために、第二コンパートメント内に配置された充電ソケットと、電子機器と接続し、かつ電子機器に電力を供給するために、第二コンパートメント内に配置された電力ソケットと、第二コンパートメント上に配置された複数のポートとを備え、各ポートは接続された外部コンピュータとデータ通信を行うのに適合している。【選択図】図１
0003109383.tif 000002
【実用新案登録請求の範囲】
【請求項１】
第一及び第二コンパートメントを備えるハウジングに収容された携帯用電力供給装置であって、
前記第二コンパートメント内に配置された電力供給組立部品と、
前記第二コンパートメントにより保持される電子機器に電力を供給するために、前記第一コンパートメント内に受け入れられた再充電可能なバッテリーと、
前記電力供給組立部品の電力残量を表示するために、前記第二コンパートメント上に配置された電力指示器と、
前記電力供給組立部品内の充電器に電気的に相互に接続するために、前記第二コンパートメント内に配置された充電ソケットと、
前記電子機器と接続され、かつ前記電子機器に電力を供給するために、前記第二コンパートメント内に配置された電力ソケットと、
前記第二コンパートメント上に配置された複数のポートとを備え、各ポートは接続された外部コンピュータとデータ通信を行うのに適合している携帯用電力供給装置。
【請求項２】
前記第一コンパートメントは、複数の楕円形くぼみ及びそのくぼみのうちの下側のくぼみの下方に位置するスロットを含む前側カバーと、端部に配置された複数の内側アパーチャを含む後側カバーと、再充電可能なバッテリーを受け入れるための前記前側及び後側カバーにより画定される第一スペースとを備える請求項１に記載の携帯用電力供給装置。
【請求項３】
前記第二コンパートメントは、前記第一コンパートメントの前面の下位部から延びており、前記第二コンパートメントは実質的に平行六面体状であり、かつ僅かに凹状の上部と、その上部の中心に位置する開口部と、その後方から突出する二つの側部フランジと、その上部の後端に隣接し、かつそのフランジの間の中間部に形成されているタブと、前記電力供給組立部品と向かい合う基板とを備えており、前記第二コンパートメントは、前記電力供給組立部品、前記電力指示器、前記電力ソケット及び前記コンピュータポートを収容するのに適合しており、前記電力供給組立部品はその後方に配置され、前記電力供給組立部品は前記バッテリーと電気的に接続され、かつ電力スイッチを有しており、前記充電ソケットはその端部に配置され、前記基板は前記コンピュータポートが配置された下部を有している請求項１に記載の携帯用電力供給装置。
【請求項４】
前記第一及び第二コンパートメントにより制限される前側第二スペースをさらに備える請求項３に記載の携帯用電力供給装置。
【請求項５】
前記第二コンパートメントの前記タブは、位置決めのために、前記第一コンパートメントの前記スロットに挿入されるのに適合している請求項３に記載の携帯用電力供給装置。
【請求項６】
前記電力ソケットは前記基板の上部に配置され、前記電力指示器は前記コンピュータポートの間に配置されている請求項３に記載の携帯用電力供給装置。
【請求項７】
前記第二コンパートメントは、ポート及び充電ソケットの接続位置に配置された複数の開口部を有するフロントプレートをさらに備えている請求項３に記載の携帯用電力供給装置。
【請求項８】
前記電力ソケットは垂直に配置され、かつ前記基板から突出している請求項６に記載の携帯用電力供給装置。
【請求項９】
前記電力指示器は、複数のＬＥＤを備えている請求項６に記載の携帯用電力供給装置。
【考案の詳細な説明】
【技術分野】
【０００１】
本発明は、電力供給装置に関するものであり、より詳細には、例えば屋外の環境においても再充電可能な携帯用電力供給装置に関するものである。さらに詳細には、本発明は、複数のポートを備えた電力供給装置に関するものであり、それらのポートのそれぞれはデータを通信するためにコンピュータ（例えば、ノートブック型携帯用コンピュータ）に接続するのに適合している。
【背景技術】
【０００２】
技術の進歩により、多種多様な携帯用電子製品（例えば、携帯電話、ＰＤＡ（携帯情報端末）、小型電卓、ＭＰ３プレーヤー等）が利用可能である。これらの製品により、我々の日々の暮らしには数多くの利便をもたらされている。そのような製品の典型的なものには、再充電可能なバッテリーが備わっている。
【考案の開示】
【考案が解決しようとする課題】
【０００３】
完全充電後の製品の動作時間を延ばすため、製造業者は、製品のエネルギー消費量の減少を模索しながら、より大容量のバッテリーを開発するのに多大な時間と金銭を費やしてきた。仮に屋外の環境において製品の電力が消耗する場合、大型の充電器は利用不可能であることは理解されよう。このように、携帯用電子製品のための携帯用電力供給装置を提供することは望ましことであり、その電力供給装置はコンピュータ（例えば、ノートブック型）とのデータ通信用のポートを備えている。
【課題を解決するための手段】
【０００４】
本発明の目的は、再充電可能なバッテリー及び電力供給組立部品を受け入れるための第一及び第二コンパートメントを備える携帯用電力供給装置を提供することにある。また、その電力供給装置は、電子機器と電気的に接続され、かつその電子機器を保持するのに適合しており、そのバッテリーにより、電力が消耗した電子機器の充電が可能となり、屋外の環境においてその電子機器の動作時間は延長される。さらに、その電力供給組立部品及び電子機器の両方の充電は、コードを介して、電力供給組立部品の充電ソケットと外部電源とを相互に接続することによりなされる。
【０００５】
本発明の別の目的は、複数のコンピュータポートを有する携帯用電力供給装置を提供することにあり、そのコンピュータポートにより、電子機器は、そのコンピュータポートのそれぞれと外部コンピュータとを相互に接続するケーブルを介して、その外部コンピュータとのデータ通信が可能である。
【０００６】
本発明のさらなる目的は、第二コンパートメント上に配置された電力指示器を有する携帯用電力供給装置を提供することにあり、その電力指示器により、ユーザはバッテリーの電力残量を容易に判断することが可能である。
【０００７】
上記及び他の目的を達成するために、本発明は、第一及び第二コンパートメントを含むハウジングに収容された携帯用電力供給装置を提供し、その携帯用電力供給装置は、第二コンパートメント内に配置された電力供給組立部品と、第二コンパートメントにより保持される電子機器へ電力を供給するための第一コンパートメント内で支持された再充電可能なバッテリーと、電力供給組立部品の電力残量を表示するための第二コンパートメントの上面上に配置された電力指示器と、充電器に電気的に接続するために第二コンパートメント内に配置された充電ソケットと、電子機器と接続され、電力を供給するための第二コンパートメント内に配置された電力ソケットと、第二コンパートメント上に配置された複数のポートとを備え、各ポートは接続された外部コンピュータとデータ通信を行うのに適合している。
【０００８】
本発明の上記及び他の目的、特徴並びに利点は、添付図面と併せた以下の詳細な説明から明らかとなるであろう。
【考案を実施するための最良の形態】
【０００９】
図１〜４を参照すると、本発明の好ましい実施形態により構成された携帯用電力供給装置が示されている。本電力供給装置は実質的に平行六面体状であり、ハウジング１、電力供給組立部品２、電力指示器３、充電ソケット４、電力ソケット５及び二つのコンピュータポート６を備えている。以下に、各部品を詳細に説明する。ハウジング１は、実質的に平行六面体状の第一コンパートメント１１と、第一コンパートメントの前面に位置し、かつ第一コンパートメント１１の高さに比較して極めて低い高さを有する実質的に平行六面体状の第二コンパートメント１２と、第一スペース２０と、第一スペース２０において受け入れられる再充電可能なバッテリー２１と、第一コンパートメント１１及び第二コンパートメント１２により制限され、かつ携帯用電子機器を取り付けるのに適合した前側第二スペース１３とを備えている。第一コンパートメント１１は、二つの楕円形くぼみ１１３、二つの楕円形くぼみ１１３のうちの下側のくぼみの下方に位置するスロット１１４及びスロット１１４の両側に位置する二つの孔１１５を含む前側カバー１１１と、前側カバー１１１よりも長く、かつ長方形状に配列された４つの内側アパーチャ１１６を含む後側カバー１１２とを有しており、第一スペース２０は、前側カバー１１１及び後側カバー１１２により画定されている。
【００１０】
第二コンパートメント１２は、僅かに凹状の上部１２１と、上部１２１の中心に位置する長方形の開口部１２２と、その後方から突出し、かつ前側カバー１１１の側部１１７と一致する形状を有するフランジ１２３と、上部１２１の後端に隣接し、フランジ１２３の間の中間部に形成され、かつ位置決めのためにスロット１１４に挿入されるのに適合したタブ１２４と、例えば電力供給組立部品２、電力指示器３、電力ソケット５及びコンピュータポート６のような部品を収容する内部スペース１２５であって、電力供給部品２をその後方に備える内部スペース１２５と、バッテリー２１に電気的に接続され、かつ電力スイッチ２２及び充電ソケット４を端部に備える電力供給組立部品２と、電力供給組立部品２と向かい合い、かつ電力ソケット５を備えた上部１２７及びコンピュータポート６を備えた下部１２８を有する基板１２６とを備えている。電力指示器３は、第二コンパートメント１２の上面上において、ポート６の間に備えられている。第二コンパートメント１２は、ポート６及び充電ソケット４の接続位置に配置された複数の開口部１３０を有するフロントプレート１２９をさらに備えている。
【００１１】
第二コンパートメント１２に取り付けられたポートに関して、それらのうちの一つは、電力供給組立部品２に備えられた充電器に電気的に相互に接続するための充電ソケット４であり、充電ソケット４は第一コードを介して電源コンセントに接続されている。別の一つは、通常の動作時に、第二コードを介して電子機器に接続され、かつその電子機器に電力を供給するための電力ソケット５である。さらなるポートは、それぞれデータ通信用のケーブルを介してコンピュータ（例えば、ノートブック型）に接続するのに適合したポート６である。
【００１２】
電力供給組立部品２の詳細な説明は、米国特許出願番号１０／９２０３０２号明細書において開示されているので、以下に簡潔な説明を記載する。上述したように、電力供給組立部品２は、内部スペース１２５の後方に備えられており、電子機器に電力を供給するのに適合している。同時に、電力供給組立部品２は、電子機器とともに充電されるのにも適合している。電力供給組立部品２が、充電ソケット４を介して、外部ＡＣ電源により充電される場合、電力供給組立部品２における電力残量は電力指示器３に表示される。
【００１３】
電力指示器３は、第二コンパートメント１２の上面上に備えられている。図１、３及び４に示すように、電力指示器３は、好ましくはＬＥＤ（発光ダイオード）３１である複数（図では４つ）の発光エレメントからなる。ＬＥＤ３１はバッテリー２１の充電指示器としての役割を果たしている。ユーザは、電力指示器３を有効にするためにバッテリー２１のスイッチを入れる。仮にバッテリー２１の電力が完全に消耗している場合は、ＬＥＤ３１はどれも発光せず、バッテリー２１の電力残量に依存して、一つ、二つ、若しくは三つのＬＥＤ３１が発光し、仮にバッテリー２１が完全に充電されている場合は、四つのＬＥＤ３１が発光する。これにより、ユーザはバッテリー２１の電力残量を容易に判断することが可能である。
【００１４】
充電ソケット４は、第二コンパートメント１２の下部付近に備えられている。充電ソケット４は、典型的なソケットと同様の軸方向の突起を有するソケットとして実装されている。電力供給組立部品２を充電するために、充電器（図示略）を電力コンセントに接続する。次いで、充電器から延長されたコードの一端を充電ソケット４に接続する。直ちに、電力供給組立部品２の充電が開始される。
【００１５】
電力ソケット５は、ハウジング１内の部品及び電子機器の両方に電力を供給するのに適合している。バッテリー２１から電力が消耗した電子機器へ電力を供給するために、電力スイッチ２２を入れる。バッテリー２１は直ちにその電子機器への電力供給を開始し、充電後、その電子機器は所定の時間さらに動作可能となる。図２に示すように、電力ソケット５は実質的に平行六面体状である。電力ソケット５は垂直に配置されており、基部から突出している。電力ソケット５は僅かに凹状の上部を有している。電力ソケット５は、さらに第二コンパートメント１２の上部からも突出している。電力ソケット５は、実質的に、従来の電子機器における典型的なポートと同様のものである。電力ソケット５は、電力コードの一端における適合コネクタに接続するのに適合しており、それにより、ハウジング１内の部品は電力コードから電力を得ることが可能となる。
【００１６】
ポート６及び外部コンピュータ（図示略）に相互に接続可能なケーブルにより、電子機器とコンピュータとのデータ通信が可能となる。コンピュータポート６は、本実施形態において（図４参照）、ＵＳＢ（ユニバーサルシリアルバス）ポートとして実装されている。
【００１７】
本明細書に開示の発明は、特定の実施形態により説明されたが、請求項に記載の本発明の範囲及び技術思想から逸脱することのない数多くの改良及び変形が当業者によりなされるだろう。
【図面の簡単な説明】
【００１８】
【図１】本発明による携帯用電力供給装置の好ましい実施形態の斜視図。
【図２】本発明による携帯用電力供給装置を起立させた状態を示す斜視図。
【図３】本発明による電力供給装置を前方から見た分解斜視図。
【図４】本発明による電力供給装置を後方から見た分解斜視図。
【図１】
0003109383.tif 000003
【図２】
0003109383.tif 000004
【図３】
0003109383.tif 000005
【図４】
0003109383.tif 000006